(57)【要約】【課題】冠橋義歯が装着される支台歯の平行度やテーパー角度を高精度に得ることができ、また、インプラントの植設孔の穿孔において、この植設孔の穿孔角度や、複数の植設孔の平行度を容易に確保することのできる歯科用切削補助具を提供することを目的とする。【解決手段】口腔内の下顎と上顎の顎堤との間に装着されるベース部材３と、ベース部材に揺動可能に装着された第１アーム４と、第１アームに回動自在に装着された第１リンク５と、第１リンクに回動自在に装着された第２リンク６と、第２リンクに装着された第２アーム７と、第２アームの一端部に装着され、切削具８が取り付けられたハンドピース９とを備え、第１リンクおよび第２リンクの回動軸線、第２アームの軸線、切削具の回転軸線が、第１アームの軸線と平行となされているとともに、ベース部材に、第１アームを任意の揺動位置に固定する調整機構１０が設けられている。【選択図】　　　図１
2004008666.tif 000002
【特許請求の範囲】
【請求項１】
口腔内の下顎と上顎の顎堤との間に装着されるベース部材と、このベース部材に揺動可能に装着された第１アームと、この第１アームに回動自在に装着された第１リンクと、この第１リンクに回動自在に装着された第２リンクと、この第２リンクに装着された第２アームと、この第２アームの一端部に装着され、歯牙等の切削を行う切削具が取り付けられたハンドピースとを備え、前記第１リンクおよび第２リンクの回動軸線と、前記第２アームの軸線および切削具の回転軸線が、前記第１アームの軸線と平行となされているとともに、前記ベース部材には、前記第１アームを任意の揺動位置に固定する調整機構が設けられていることを特徴とする歯科用切削補助具。
【請求項２】
前記第２アームが、前記第２リンクに対して軸線方向に摺動自在に装着されており、前記第２アームと第２リンクとの間に、前記第２アームを、切削する顎堤から離間する方向へ向けて付勢する付勢部材が介装されていることを特徴とする請求項１に記載の歯科用切削補助具。
【請求項３】
前記ベース部材が、一対の支持アームを備え、これらの支持アームの一端部が回動自在に連結されているとともに、他端部に、前記下顎と上顎に当接させられる当接部材がそれぞれ設けられ、前記一対の支持アームの間に、これらの支持アームを、所定の挟み角に保持するロック機構が設けられていることを特徴とする請求項１または請求項２に記載の歯科用切削補助具。
【請求項４】
一対の支持アームの、前記下顎と上顎とに当接させられる位置に、アタッチメントが装着されていることを特徴とする請求項３に記載の歯科用切削補助具。
【請求項５】
前記ロック機構が、前記一方の支持アームに固定されるとともに、前記他方の支持アームに相対移動可能に重畳させられた円弧状のラック板と、前記他方の支持アームに回転可能に取り付けられるとともに、前記ラック板に噛合させられたピニオンと、前記他方の支持アームに揺動自在に装着され、前記ピニオンに係脱させられるロックアームと、このロックアームを付勢して、このロックアームを前記ピニオンに係合状態に保持する付勢部材とによって構成されていることを特徴とする請求項３または請求項４に記載の歯科用切削補助具。
【発明の詳細な説明】
【０００１】
【発明の属する技術分野】
本発明は、歯科用切削補助具に係わり、特に、冠橋義歯や部分床義歯が装着される支台歯または鉤歯の外周切削や、インプラント用の植立孔の穿孔に好適に用いられる歯科用切削補助具に関するものである。
【０００２】
【従来の技術】
一般に、冠橋義歯を支台歯に装着する場合、支台歯の歯冠部を円錐台形状に切削する必要があり、かつ、その外周を支台歯の軸に対して一定のテーパを有するように切削する必要がある。
しかしながら、従来にあっては、技術者が、自由な動きをする切削具を用い、この切削具を支台歯の表面に押し当てて、目分量で切削を行っている。
【０００３】
また、インプラントを植立する場合、インプラントの植立に先立って、顎の骨に植立孔を穿孔するが、この場合にも、技術者が、自由な動きをする切削具を用い、この切削具を目標とする顎の骨に押し当てて、円柱状の植立孔を穿孔するようにしている。
【０００４】
【発明が解決しようとする課題】
ところで、前述した従来の作業にあっては、つぎのような改善すべき課題が残されている。
すなわち、従来の作業では、切削具の動きが自由であるために、前者の支台歯の外周切削に当たっては、切削具の移動がぶれやすく、この結果、支台歯のテーパー角度が一定せず、最適なテーパー角度に切削することが困難である。
そして、支台歯のテーパー角度が大きすぎると、装着する冠橋義歯がはずれやすくなり、また、テーパー角度が小さすぎると、冠橋義歯が装着できない場合が生じる。
【０００５】
また、インプラントを植立するための植立孔を穿孔する場合においては、この植立孔の、顎の骨に対する角度が重要な要素となるが、切削抵抗等によって、適切な角度に穿孔することが困難である。
そして、複数のインプラントを隣接して植立する場合、インプラントの強度を高めるために、これらのインプラントに上部構造を装着して一体化する処置が施されるが、上部構造の取り付けに際して、複数のインプラントが平行であることが理想である。
しかしながら、前述したように、植立孔の穿孔角度が不安定であることから、植立される複数のインプラントの角度を確保することがきわめて困難である。
【０００６】
本発明は、このような従来において残されている課題に鑑みてなされたもので、冠橋義歯が装着される支台歯の外周切削におけるテーパー角度の均一化を容易にし、また、複数の支台歯間の平行度を容易に確保し、さらに、インプラント用の植立孔の穿孔角度を高精度に設定するとともに、複数の植立孔を穿孔する場合にあっても、これらの植立孔の平行度を容易に確保することのできる歯科用切削補助具を提供することを目的とする。
【０００７】
【課題を解決するための手段】
本発明の請求項１に記載の歯科用切削補助具は、前述した課題を解決するために、口腔内の下顎と上顎の顎堤との間に装着されるベース部材と、このベース部材に揺動可能に装着された第１アームと、この第１アームに回動自在に装着された第１リンクと、この第１リンクに回動自在に装着された第２リンクと、この第２リンクに装着された第２アームと、この第２アームの一端部に装着され、歯牙等の切削を行う切削具が取り付けられたハンドピースとを備え、前記第１リンクおよび第２リンクの回動軸線と、前記第２アームの軸線および切削具の回転軸線が、前記第１アームの軸線と平行となされているとともに、前記ベース部材には、前記第１アームを任意の揺動位置に固定する調整機構が設けられていることを特徴とする。
本発明の請求項２に記載の歯科用切削補助具は、請求項１に記載の前記第２アームが、前記第２リンクに対して軸線方向に摺動自在に装着されており、前記第２アームと第２リンクとの間に、前記第２アームを、切削する顎堤から離間する方向へ向けて付勢する付勢部材が介装されていることを特徴とする。
本発明の請求項３に記載の歯科用切削補助具は、請求項１または請求項２に記載の前記ベース部材が、一対の支持アームを備え、これらの支持アームの一端部が回動自在に連結されているとともに、他端部に、前記下顎と上顎に当接させられる当接部材がそれぞれ設けられ、前記一対の支持アームの間に、これらの支持アームを、所定の挟み角に保持するロック機構が設けられていることを特徴とする。
本発明の請求項４に記載の歯科用切削補助具は、請求項３に記載の一対の支持アームの、前記下顎と上顎とに当接させられる位置に、アタッチメントが装着されていることを特徴とする。
本発明の請求項５に記載の歯科用切削補助具は、請求項３または請求項４に記載の前記ロック機構が、前記一方の支持アームに固定されるとともに、前記他方の支持アームに相対移動可能に重畳させられた円弧状のラック板と、前記他方の支持アームに回転可能に取り付けられるとともに、前記ラック板に噛合させられたピニオンと、前記他方の支持アームに揺動自在に装着され、前記ピニオンに係脱させられるロックアームと、このロックアームを付勢して、このロックアームを前記ピニオンに係合状態に保持する付勢部材とによって構成されていることを特徴とする。
【０００８】
【発明の実施の形態】
以下、本発明の一実施形態について、図面を参照して説明する。
図１に符号Ｊで示すように、本実施形態に係わる歯科用切削補助具は、口腔内の下顎と上顎との間（図示例では、下顎の歯牙１と上顎の歯牙２との間）に装着されるベース部材３と、このベース部材３に揺動可能に装着された第１アーム４と、この第１アーム４に回動自在に装着された第１リンク５と、この第１リンク５に回動自在に装着された第２リンク６と、この第２リンク６に装着された第２アーム７と、この第２アーム７の一端部に装着され、前記歯牙１・２の切削を行う切削具８が取り付けられたハンドピース９とを備え、前記第１リンク５および第２リンク６の回動軸線と、前記第２アーム７の軸線および切削具８の回転軸線が、前記第１アーム４の軸線と平行となされているとともに、前記ベース部材３には、前記第１アーム４を任意の揺動位置に固定する調整機構１０が設けられた基本構成となっている。
ここで、本実施形態においては、上顎の歯牙２の切削を行う場合について示してあるが、下顎の歯牙１の切削に適用できることはもちろんである。
【０００９】
ついで、これらの詳細について説明すれば、
前記ベース部材３は、一対の支持アーム１１・１２を備え、これらの支持アーム１１・１２の一端部が枢軸１３によって回動自在に連結されているとともに、他端部に、前記下顎の歯牙１と上顎の歯牙２に当接させられる当接部材１４・１５がそれぞれ設けられ、前記一対の支持アーム１１・１２の間に、これらの支持アーム１１・１２を、所定の挟み角に保持するロック機構１６が設けられている。
【００１０】
前記ロック機構１６は、図２および図６に詳述するように、前記一方の支持アーム１１に固定されるとともに、前記他方の支持アーム１２に相対移動可能に重畳させられた円弧状のラック板１７と、前記他方の支持アーム１２に回転可能に取り付けられるとともに、前記ラック板１７に噛合させられたピニオン１８と、前記他方の支持アーム１２に揺動自在に装着され、前記ピニオン１８に係脱させられるロックアーム１９と、このロックアーム１９を付勢して、このロックアーム１９を前記ピニオン１８に係合状態に保持する付勢部材２０とによって構成されている。
【００１１】
そして、前記ロックアーム１９は、前記他方の支持アーム１２の、前記ピニオン１８の近傍に取り付けられたピン２１によって回動自在に支持されており、このピン２１周りに、前記付勢部材２０によって付勢されることにより、先端部が、前記ピニオン１８に係合させられて、このピニオン１８の回動を拘束するようになっている。
また、前記ロックアーム１９は、前記付勢部材２０の付勢力に抗して回動させられることにより、前述したピニオン１８との係合が解除されて、このピニオン１８の回動を許容することにより、前記ラック板１７と他方の支持アーム１２との相対移動を許容して、前記両支持アーム１１・１２の相対回動を許容するようになっている。
【００１２】
また、前記ピニオン１８には、図１に示すように蝶型の操作レバー２２が一体に取り付けられている。
そして、前記ピニオン１８は、前記ラック板１７の先端部へ移動するように回動させられた際に、前記ロックアーム１９を付勢部材２０の付勢力に抗して回動させて、このロックアーム１９との係合を解除するようになされている。
したがって、操作レバー２２を前述した方向に回動操作することによって、前記ピニオン１８を回動させることにより、このピニオン１８が前記ラック板１７の先端部へ向けて移動させられて、前記一対の支持アーム１１・１２の挟み角が広げられ、かつ、前述したピニオン１８の回動を停止した状態において、前記ロックアーム１９が付勢部材２０により、前記ピニオン１８と係合状態となされて、前記両支持アーム１１・１２が、任意の挟み角度に保持されるようになっている。
【００１３】
一方、本実施形態においては、前記第２アーム７が、前記第２リンク６に対して軸線方向に摺動自在に装着されており、前記第２アーム７と第２リンク６との間には、前記第２アーム７を切削する歯牙（顎堤）から離間する方向へ向けて付勢する付勢部材２３が介装されている。
この付勢部材２３は、前記ハンドピース９を歯牙２へ向けて移動させる際に抵抗を与えて、前記切削具８の緩やかな移動を実現し、また、逆方向への移動を速やかに行わせるために設けられたものである。
【００１４】
また、前記第２リンク６には、前記第２アーム７を摺動自在に支持する軸受け２４が一体に取り付けられており、この軸受け２４と前記第２アーム７の端部に設けられたフランジ２５との間に前記付勢部材２３が介装されている。
さらに、前記フランジ２５には、前記第２アーム７に当接させられることにより、この第２アーム７の不用意な移動を拘束するストッパ２６が螺着されている。
【００１５】
さらに、本実施形態においては、必要に応じて、前記当接部材１４・１５に熱可塑性樹脂からなるアタッチメント２７が装着されるようになっている。
図示例では、他方の当接部材１５のみに設けた例について示したが、このアタッチメント２７は、加熱軟化させた状態で歯牙１・２に圧接させられて、これらの歯牙１・２の形状に沿って変形させられるとともに、温度低下後においてその形状を保持するものであり、前記当接部材１４・１５と歯牙１・２との接触時のずれを防止するようになっている。
【００１６】
前記調整機構１０は、図３に詳述するように、前記他方の当接部材１５の端部に、前記当接部１５の表面に開口された状態で形成された凹部２８と、この凹部２８を覆って配設された押圧板２９と、この押圧板２９の一端部を前記当接板１５に固定する固定ボルト３０と、前記当接部材１５を貫通して設けられるとともに、前記押圧板２９の他端部に螺着された調整ボルト３１と、この調整ボルト３１に取り付けられた調整レバー３２と、前記第１アーム４の一端部に取り付けられるとともに、前記凹部２８内に収納された球体からなる係合部材３３とによって構成されており、この係合部材３３が、前記凹部２８内に収納された状態において、その一部が前記凹部２８から、前記当接部材１５の表面に露出して前記押圧板２９に当接させられるようになっている。
したがって、前記凹部２８と係合部材３３とによって球面軸受けが構成されて、前記当接部材１５に対して、前記第１アーム４が揺動自在に支持され、かつ、前記調整ボルト３１によって前記押圧板２９を係合部材３３に押しつけることによって前記係合部材３３、すなわち、前記第１アーム４の揺動を拘束して、この第１アーム４を所定位置に固定するようになっている。
【００１７】
以下、このように構成された本実施形態に係わる歯科用切削補助具Ｊの作用について説明する。
【００１８】
支台歯の側面を切削する場合について説明すれば、まず、ベース部材３を患者の下顎と上顎との間に挿入して、両当接部材１４・１５をそれぞれの歯牙１・２に対向させる。
【００１９】
ついで、前記ベース部材３に取り付けられているロック機構１６の操作レバー２２を回動させて、両支持アーム１１・１２を広げることにより、患者の口を開口させる。
ここで、患者の口が開口限度に至った時点で前記両支持アーム１１・１２の相対回動を停止することにより、前記ベース部材３を患者の口腔内に固定する。
【００２０】
ついで、調整機構１０の操作レバー３２を緩めた後に、第１アーム４を揺動させて、図２に示すように、切削具８の軸線を、目的とする歯牙２（１）の方向に一致させる。
これより、前記調整機構１０の操作レバー３２を逆方向に操作して、前記係合部材３３を当接部材１５に固定することによって、前記第１アーム４の固定を行う。
【００２１】
この状態から、支台歯の切削を行うには、前記切削具８を回転させつつ、図４に矢印で示すように、前記歯牙２の側面に沿って移動させることにより、前記歯牙２の外周面が切削される。
このとき、前記歯牙２に対する第１アーム４の姿勢が固定されており、かつ、前記切削具８の軸線が、この切削具８の位置に拘わらず、前記第１アーム４の軸線に対して平行に保持されており、また、通常は、前記切削具８が先細りの外形形状となされていることから、前記歯牙２の外周面が、容易に一定のテーパー角度で切削され、最適なテーパー角度が容易に得られる。
ついで、切削具８を、つぎの支台歯へ向けて移動させた後に、同様の操作によってその外周面を切削する。
このように、前記切削具８を隣接する支台歯へ移動させる際にも、前記切削具８が平行状態に維持されることから、両支台歯の平行度も容易に確保される。
【００２２】
したがって、これらの支台歯に装着される冠橋義歯の装着が円滑に行われるとともに、その装着が確実に行われる。
【００２３】
また、インプラント用の植立孔を穿孔する場合にあっては、切削具８を所定の形状（植立するインプラントの外径に合わせた形状）に取り替えた後に、この切削具８を、調整機構１０によって、植立孔を穿孔する部位の隣に位置する歯牙２の方向に沿わせる。
ついで、この切削具８を上顎の骨の所定の部位に対向位置させた後に、前記第２アーム７を第２リンク６に対して摺動させつつ、前記切削具８を上顎へ向けて移動させることにより、図５に示すように、所定位置に植立孔３４を穿孔することができ、この植立孔３４の向きが、前記歯牙２の方向と平行となされる。
この結果、前記植立孔３４を利用して植立されるインプラントが、隣接する歯牙２に対し歯並びが良好な状態で植え込まれる。
【００２４】
さらに、前記植立孔３４を隣接して連続穿孔する場合にあっても、図５に矢印で示すように、前記ハンドピース９を矩形状に移動させることによって、複数の植立孔を平行に穿孔することができる。
したがって、これら複数の植立孔のそれぞれに植立されるインプラントの平行度が確保されるとともに、これらのインプラントに装着される上部構造の取り付け強度も確保される。
【００２５】
なお、前記実施形態において示した各構成部材の諸形状や寸法等は一例であって、設計要求等に基づき種々変更可能である。
たとえば、前記ベース部材３は、患者の口腔内の形状に合わせた一定形状のものであってもよく、また、アタッチメントは、前述した熱可塑性樹脂に限らず、レジン等を用いることも可能である。
また、このアタッチメントは、前記ベース部材３に一体化したものであっても、着脱可能な構成としたものであってもよい。
さらに、前述した実施形態においては、上顎に対する処置について説明したが、下顎に対する処置に適用できることはもちろんのことである。
【００２６】
【発明の効果】
以上説明したように、本発明に係わる歯科用切削補助具によれば、たとえば、冠橋義歯が装着される支台歯の外周面を、容易に平行状態に切削し、あるいは、所定のテーパー角度に切削することができ、前記冠橋義歯の確実な装着を可能にすることができる。
また、インプラント用の植立孔を穿孔する場合にあっても、この植立孔の穿孔角度を容易に設定することができるので、隣接する歯牙の方向に前記植立孔の向きを容易に沿わせることができ、良好な歯並びを容易に得ることができ、また、植立孔を隣接して連続穿孔する場合にあっても、これらの植立孔の平行度を確保して、これら複数の植立孔のそれぞれに植立されるインプラントの平行度を確保することができるとともに、これらのインプラントに装着される上部構造の取り付け強度も確保することができる。
【図面の簡単な説明】
【図１】本発明の一実施形態を示すもので、歯科用切削補助具を患者に装着した状態を示す概略図である。
【図２】本発明の一実施形態を示す展開図である。
【図３】本発明の一実施形態を示すもので、調整機構を示す縦断面図である。
【図４】本発明の一実施形態の作用を示す展開図である。
【図５】本発明の一実施形態の作用を示す展開図である。
【図６】本発明の一実施形態を示すもので、ロック機構の一部を破断した拡大側面図である。
【符号の説明】
１　（下顎の）歯牙
２　（上顎の）歯牙
３　ベース部材
４　第１アーム
５　第１リンク
６　第２リンク
７　第２アーム
８　切削具
９　ハンドピース
１０　調整機構
１１　支持アーム
１２　支持アーム
１３　枢軸
１４　当接部材
１５　当接部材
１６　ロック機構
１７　ラック板
１８　ピニオン
１９　ロックアーム
２０　付勢部材
２１　ピン
２２　操作レバー
２３　付勢部材
２４　軸受け
２５　フランジ
２６　ストッパ
２７　アタッチメント
２８　凹部
２９　押圧板
３０　固定ボルト
３１　調整ボルト
３２　操作レバー
３３　係合部材
３４　植立孔
Ｊ　歯科用切削補助具
【図１】
2004008666.tif 000003
【図２】
2004008666.tif 000004
【図３】
2004008666.tif 000005
【図４】
2004008666.tif 000006
【図５】
2004008666.tif 000007
【図６】
2004008666.tif 000008